(57)【要約】【課題】  叩打効率を高めるのに適した構造の叩解装置を提供する。【解決手段】  叩解装置１は、第１の材料と当該第１の材料に付着した第２の材料とを含む処理対象物を叩打することにより、第１の材料からの第２の材料の解離を促すものであり、回転軸１０及び叩打部材２０を備えている。回転軸１０は、その中心軸周りに回転可能に設けられている。回転軸１０の周囲には、叩打部材２０が取り付けられている。叩打部材２０は、回転軸１０と共に回転しながら、処理対象物を叩打する。叩打部材２０の叩打面には、開口部２２が形成されている。【選択図】  図１
2016147417.tif 000002
【特許請求の範囲】
【請求項１】
第１の材料と前記第１の材料に付着した第２の材料とを含む処理対象物を叩打することにより、前記第１の材料からの前記第２の材料の解離を促す叩解装置であって、
その中心軸周りに回転する回転軸と、
前記回転軸の周囲に取り付けられ、当該回転軸と共に回転しながら前記処理対象物を叩打する叩打部材と、を備え、
前記叩打部材の叩打面には、開口部が形成されていることを特徴とする叩解装置。
【請求項２】
請求項１に記載の叩解装置において、
前記叩打面には、複数の前記開口部が形成されている叩解装置。
【請求項３】
請求項２に記載の叩解装置において、
前記複数の開口部は、第１の開口部と、前記第１の開口部よりも小さな開口面積を有する第２の開口部とを含み、
前記第２の開口部よりも前記第１の開口部の方が、前記叩打部材の先端に近い位置に形成されている叩解装置。
【請求項４】
請求項１乃至３の何れかに記載の叩解装置において、
前記叩打部材は、板状をしており、その板面を前記叩打面として前記処理対象物を叩打する叩解装置。
【請求項５】
請求項１乃至４の何れかに記載の叩解装置において、
前記叩打部材は、複数設けられており、
前記複数の叩打部材は、前記回転軸の前記周囲に放射状に取り付けられている叩解装置。
【請求項６】
請求項５に記載の叩解装置において、
前記複数の叩打部材のうち少なくとも２つは、互いに異なる長さを有する叩解装置。
【請求項７】
請求項６に記載の叩解装置において、
前記複数の叩打部材は、第１の叩打部材と、前記第１の叩打部材よりも短い第２の叩打部材とを含み、
前記第１及び第２の叩打部材は、前記回転軸の前記周囲に交互に配置されている叩解装置。
【請求項８】
請求項７に記載の叩解装置において、
前記複数の叩打部材は、前記第２の叩打部材よりも短い第３の叩打部材を含み、
前記第１、第２及び第３の叩打部材は、前記回転軸の回転方向前方から後方に向かって、この順に配置されている叩解装置。
【請求項９】
請求項１乃至８の何れかに記載の叩解装置において、
前記叩打部材の最大回転半径を１としたとき、前記叩打部材の最大長は０．５以上である叩解装置。
【請求項１０】
請求項１乃至９の何れかに記載の叩解装置において、
前記叩打部材の前記叩打面には、凹凸部が形成されている叩解装置。
【請求項１１】
請求項１０に記載の叩解装置において、
前記凹凸部は、前記叩打面における前記開口部が形成されていない領域の略全体に形成されている叩解装置。
【請求項１２】
請求項１乃至１１の何れかに記載の叩解装置において、
前記回転軸及び前記叩打部材を包囲するように設けられ、前記処理対象物を収容する筒状の収容部を備える叩解装置。
【請求項１３】
請求項１２に記載の叩解装置において、
前記収容部は、前記回転軸と同一の中心軸を有し、当該中心軸周りに回転する叩解装置。
【請求項１４】
請求項１３に記載の叩解装置において、
前記収容部は、前記回転軸とは反対方向に回転する叩解装置。
【請求項１５】
請求項１２乃至１４の何れかに記載の叩解装置において、
前記収容部には、前記第１の材料を通過させずに前記第２の材料を通過させる多数の孔が形成されている叩解装置。
【請求項１６】
請求項１２乃至１５の何れかに記載の叩解装置において、
前記収容部の内周面上には、当該収容部の中心軸方向に延在する突条が設けられている叩解装置。
【請求項１７】
請求項１乃至１６の何れかに記載の叩解装置において、
前記第１の材料は、プラスチックであり、
前記第２の材料は、吸水性ポリマーである叩解装置。
【請求項１８】
請求項１乃至１７の何れかに記載の叩解装置において、
前記処理対象物は、衛生用品である叩解装置。
【請求項１９】
請求項１８に記載の叩解装置において、
前記処理対象物は、紙おむつである叩解装置。
【請求項２０】
請求項１乃至１６の何れかに記載の叩解装置において、
前記第１の材料は、紙であり、
前記第２の材料は、ポリ塩化ビニルである叩解装置。
【請求項２１】
請求項２０に記載の叩解装置において、
前記処理対象物は、塩ビ壁紙である叩解装置。
【発明の詳細な説明】
【技術分野】
【０００１】
本発明は、叩解装置に関する。
【背景技術】
【０００２】
従来の叩解装置としては、例えば特許文献１に記載されたものがある。同文献に記載の叩解装置は、塩ビ壁紙等の処理対象物に含まれる樹脂と繊維とを分離する装置であって、筒状容器及び複数の叩打部材を備えている。複数の叩打部材は、回転軸の周囲に放射状に設けられている。この叩解装置においては、筒状容器内に収容された処理対象物が、回転軸と共に回転する叩打部材によって叩打される。
【先行技術文献】
【特許文献】
【０００３】
【特許文献１】特開２０１１−１８３８０６号公報
【発明の概要】
【発明が解決しようとする課題】
【０００４】
このように複数の材料を含む処理対象物を叩打すると、その打撃力により材料どうしの解離が促される。それゆえ、叩解装置においては、処理対象物に対して叩打部材による打撃力を効率良く与えること、すなわち叩打効率を高めることが重要である。
【０００５】
しかしながら、特許文献１に記載の叩解装置においては、叩打部材が回転する際の風圧によって、処理対象物が叩打される前に叩打部材から遠ざかってしまう。このことは、叩打部材による打撃力を弱め、叩打効率を低下させる要因となる。
【０００６】
本発明は、上記課題に鑑みてなされたものであり、叩打効率を高めるのに適した構造の叩解装置を提供することを目的とする。
【課題を解決するための手段】
【０００７】
本発明による叩解装置は、第１の材料と上記第１の材料に付着した第２の材料とを含む処理対象物を叩打することにより、上記第１の材料からの上記第２の材料の解離を促す叩解装置であって、その中心軸周りに回転する回転軸と、上記回転軸の周囲に取り付けられ、当該回転軸と共に回転しながら上記処理対象物を叩打する叩打部材と、を備え、上記叩打部材の叩打面には、開口部が形成されていることを特徴とする。
【０００８】
この叩解装置においては、叩打部材の叩打面に開口部が形成されている。叩打部材が回転する際、当該開口部を通じて空気が逃げるため、処理対象物が受ける風圧を小さく抑えることができる。これにより、開口部が形成されていない場合に比して、処理対象物に対して強い打撃力を与えることができる。
【発明の効果】
【０００９】
本発明によれば、叩打効率を高めるのに適した構造の叩解装置が実現される。
【図面の簡単な説明】
【００１０】
【図１】本発明による叩解装置の第１実施形態を示す端面図である。
【図２】本発明による叩解装置の第１実施形態を示す端面図である。
【図３】本発明による叩解装置の第２実施形態を示す端面図である。
【図４】本発明による叩解装置の第２実施形態を示す端面図である。
【図５】図３及び図４の叩解装置における収容部４０を示す側面図である。
【図６】開口部２２の一変形例を説明するための平面図である。
【図７】開口部２２の他の変形例を説明するための平面図である。
【図８】開口部２２の他の変形例を説明するための平面図である。
【図９】開口部２２の他の変形例を説明するための平面図である。
【図１０】叩打部材２０の一変形例を説明するための側面図である。
【図１１】叩打部材２０の他の変形例を説明するための端面図である。
【図１２】図１１の変形例に係る叩打部材２０の効果を説明するための図である。
【図１３】図１１の変形例に係る叩打部材２０の効果を説明するための図である。
【図１４】叩打部材２０の他の変形例を説明するための端面図である。
【図１５】変形例に係る叩打部材５０を示す斜視図である。
【図１６】図１５の叩打部材５０の構成を説明するための側面図である。
【図１７】図２に示した突条３２の変形例を説明するための端面図である。
【発明を実施するための形態】
【００１１】
以下、図面を参照しつつ、本発明の実施形態について詳細に説明する。なお、図面の説明においては、同一要素には同一符号を付し、重複する説明を省略する。
（第１実施形態）
【００１２】
図１及び図２は、本発明による叩解装置の第１実施形態を示す端面図である。叩解装置１は、第１の材料と当該第１の材料に付着した第２の材料とを含む処理対象物を叩打することにより、第１の材料からの第２の材料の解離を促すものである。
【００１３】
処理対象物は、例えば、不良品としての衛生用品である。衛生用品としては、例えば、紙おむつ、生理用ナプキン、尿取りパッド等が挙げられる。本実施形態においては、処理対象物が紙おむつ、第１の材料がプラスチック、第２の材料が吸水性ポリマー（高吸水性ポリマーも含む）である場合を例にとって説明する。なお、処理対象物は、予め適当な大きさに細断されていることが好ましい。かかる細断には、例えば、破砕機又は粉砕機を用いることができる。
【００１４】
叩解装置１は、回転軸１０及び叩打部材２０を備えている。回転軸１０は、略円柱状をしており、その中心軸周りに回転可能に設けられている。回転軸１０の中心軸は、水平である。当該中心軸に平行及び垂直な端面が、それぞれ図１及び図２に示されている。回転軸１０の外径は、例えば、１０ｃｍ以上２０ｃｍ以下である。
【００１５】
回転軸１０の周囲には、叩打部材２０が取り付けられている。本実施形態においては、複数の叩打部材２０が設けられている。図１からわかるように、叩打部材２０は、回転軸１０の中心軸に沿って複数箇所（本実施形態においては５箇所）に設けられている。また、図２からわかるように、各箇所において、複数（本実施形態においては８つ）の叩打部材２０が回転軸１０の周囲に放射状に取り付けられている。各叩打部材２０は、その厚さ方向が上記中心軸と直交するように配置されている。
【００１６】
これらの叩打部材２０は、回転軸１０と共に回転しながら、紙おむつを叩打する。具体的には、叩打部材２０は、板状をしており、その板面を叩打面として紙おむつを叩打する。ここで、叩打面とは、紙おむつを叩打する面、すなわち叩打時に紙おむつに接触する面をいう。また、板面とは、叩打部材２０の厚み方向に垂直な面をいう。叩打部材２０の材料としては、例えば金属を用いることができる。
【００１７】
叩打部材２０の最大回転半径Ｒ１（図２参照）を１としたとき、叩打部材２０の最大長Ｌ１は０．５以上であることが好ましい。ここで、最大回転半径Ｒ１は、回転軸１０の中心軸から叩打部材２０の先端までの距離（叩打部材２０によって当該距離が異なる場合は、そのうち最大のもの）として定義される。最大回転半径Ｒ１の値は、例えば１３ｃｍ以上２５ｃｍ以下である。また、最大長Ｌ１は、叩打部材２０の長さ（叩打部材２０によって長さが異なる場合は、そのうち最大のもの）として定義される。最大長Ｌ１の値は、例えば８ｃｍ以上１５ｃｍ以下である。
【００１８】
図１に示すように、叩打部材２０の叩打面には、複数の開口部２２が形成されている。複数の開口部２２は、叩打部材２０の叩打面上に二次元的に配列されている。具体的には、各叩打部材２０について、幅方向（回転軸１０の中心軸方向）に２つ、長さ方向（回転軸１０の径方向）に６つの計１２個の開口部２２が配列されている。各開口部２２は、処理対象物である紙おむつ片が通過しないような形状及び大きさをしている。本実施形態において各開口部２２の形状は、平面視で円形である。各開口部２２の径は、例えば２ｍｍ以上１０ｍｍ以下である。これらの開口部２２は、叩打部材２０が回転する際に、当該開口部２２を通じて空気が逃げるように設けられている。
【００１９】
回転軸１０及び叩打部材２０を包囲するように、筒状の収容部３０が設けられている。収容部３０は、略円筒状をしており、その中心軸周りに回転可能である。収容部３０の中心軸は、回転軸１０の中心軸に一致する。すなわち、回転軸１０と収容部３０とは、同一の中心軸を有している。ただし、収容部３０は、回転軸１０とは独立して回転する。本実施形態において回転軸１０と収容部３０とは、上記中心軸周りに、互いに反対方向に回転する。収容部３０には、処理対象物である紙おむつが収容される。収容部３０の内径は、例えば３０ｃｍ以上５０ｃｍ以下である。また、収容部３０の内周面と叩打部材２０の先端との間隔は、例えば５ｍｍ以上３０ｍｍ以下である。
【００２０】
図２に示すように、収容部３０の内周面上には、突条３２が設けられている。突条３２は、収容部３０の中心軸方向（図２の紙面に垂直な方向）に延在している。突条３２は、収容部３０の中心軸方向の略全体にわたって延在している。また、突条３２は、断面が略三角形である。突条３２の高さ（収容部３０の径方向の長さ）は、例えば、３ｍｍ以上２０ｍｍ以下である。突条３２は、ｐ本（ｐ：３以上５以下の整数）設けられることが好ましい。ｐ本の突条３２は、収容部３０の内周面上に等間隔で配設されている。すなわち、収容部３０の中心軸に垂直な端面（図２に示す端面）において、１つの突条３２と中心軸とを結んだ線分と、その隣の突条３２と中心軸とを結んだ線分とのなす角度αは、３６０°／ｐに略等しい。本実施形態においては、ｐ＝４、α＝９０°である。
【００２１】
叩解装置１において、紙おむつが収容部３０に収容された状態で回転軸１０を回転させると、回転軸１０と共に回転する叩打部材２０が紙おむつを繰り返し叩打する。すると、その打撃力等により、プラスチックからの吸水性ポリマーの解離が促される。このとき、吸水性ポリマーの一部は、プラスチックから完全に解離する。このようにして紙おむつから分離された吸水性ポリマーは、図示しない排出手段により、叩解装置１の外に排出される。また、プラスチックから解離しきれなかった吸水性ポリマーについても、叩打の打撃力等によりプラスチックに対する付着力が低下し、解離しやすい状態となる。叩解装置１において叩打された後の紙おむつは、必要に応じて回転篩等の分離装置に移送され、そこで残りの吸水性ポリマーが分離される。なお、本実施形態のように処理対象物が紙おむつである場合、吸水性ポリマーと共にフラッフパルプも分離される。
【００２２】
叩解装置１の効果を説明する。叩解装置１においては、叩打部材２０の叩打面に開口部２２が形成されている。叩打部材２０が回転する際、開口部２２を通じて空気が逃げるため、紙おむつが受ける風圧を小さく抑えることができる。これにより、開口部２２が形成されていない場合に比して、紙おむつに対して強い打撃力を与えることができる。したがって、叩打効率を高めるのに適した構造の叩解装置１が実現されている。また、開口部２２を通じて空気が逃げることにより、叩打部材２０が回転する際の空気抵抗が低減する。このことは、叩解装置１の消費電力の削減に資する。
【００２３】
叩打部材２０の叩打面には、複数の開口部２２が形成されている。このように開口部２２の数を増やすことにより、叩打部材２０全体として大きな開口面積を確保することができる。これにより、より多くの空気を逃がすことができるため、紙おむつが受ける風圧を一層小さく抑えることができる。
【００２４】
この点、叩打部材２０全体として大きな開口面積を確保する手段としては、１つの開口部２２を大きく設計することも考えられる。しかし、開口部２２の大きさについては、処理対象物である紙おむつ片が通過しない程度でなければならないという制限がかかるため、設計自由度が低いという問題がある。本実施形態のように開口部２２の数を増やす手段によれば、１つ１つの開口部２２の大きさを変えることなく、叩打部材２０全体として大きな開口面積を確保できるため、かかる問題を回避することができる。
【００２５】
回転軸１０の周囲には、放射状に取り付けられた複数の叩打部材２０が設けられている。これにより、回転軸１０が１回転する間に複数の叩打部材２０によって紙おむつが叩打されるため、叩打部材２０による紙おむつの叩打を一層効率良く行うことができる。
【００２６】
叩打部材２０は、板状をしており、その板面を叩打面として紙おむつを叩打するように構成されている。このように叩打部材２０の板面で叩打することにより、紙おむつに対して強い打撃力を与えることができる。また、かかる構成により、処理対象物である紙おむつが叩打部材２０に絡みつきにくくなるという利点も得られる。
【００２７】
叩打部材２０を長くすることにより、叩打面が広くなるため、回転軸１０が１回転する間により多くの紙おむつを叩打することができるようになる。かかる観点から、叩打部材２０の最大回転半径Ｒ１を１としたとき、叩打部材２０の最大長Ｌ１は０．５以上であることが好ましい。
【００２８】
この点、従来の叩解装置においては、叩打部材を長くすると、叩打部材が回転する際の風圧及び空気抵抗が著しく増大するという問題がある。本実施形態によれば、上述のとおり開口部２２を通じて空気が逃げるため、叩打部材２０を長くしても、叩打部材２０が回転する際の風圧及び空気抵抗の増大を小さく抑えることができる。
【００２９】
回転軸１０及び叩打部材２０を包囲するように収容部３０が設けられている。このため、叩打部材２０によって叩打された紙おむつの一部は、収容部３０の内周面に擦りつけられることになる。これにより、叩打部材２０によって叩打される際に紙おむつに働く打撃力に加え、収容部３０の内周面に擦りつけられる際に紙おむつに働く摩擦力もまた、プラスチックからの吸水性ポリマーの解離に寄与する。また、紙おむつの一部は、叩打部材２０によって叩き飛ばされて、収容部３０の内周面等に衝突する。この際に紙おむつに働く衝撃力も、プラスチックからの吸水性ポリマーの解離に寄与する。
【００３０】
回転軸１０と収容部３０とは、同一の中心軸周りに、互いに反対方向に回転するように構成されている。これにより、紙おむつが収容部３０の内周面から受ける力が増大するため、プラスチックからの吸水性ポリマーの解離が一層促される。
【００３１】
収容部３０には、突条３２が設けられている。突条３２が設けられていない場合、重力の影響により、紙おむつは収容部３０の下部に集まりがちになる。これに対し、本実施形態の場合、収容部３０内の紙おむつは、突条３２により掬い上げられることにより、収容部３０の上部に達し易くなる。かかる掬い上げ作用により、紙おむつは、収容部３０の内周面の広範囲に行き渡るようになる。これにより、回転軸１０が１回転する間に、より多くの紙おむつを叩打部材２０によって叩打することができる。
【００３２】
また、紙おむつが収容部３０の上部から落下する際の衝撃により、プラスチックからの吸水性ポリマーの解離が促される。さらに、突条３２が設けられていることにより、叩打部材２０によって叩打された紙おむつは、突条３２に引っ掛かった状態で、収容部３０の内周面に擦りつけられる場合がある。その場合、力が逃げにくくなるため、紙おむつが受ける摩擦力が増大し、それによりプラスチックからの吸水性ポリマーの解離が一層促される。
（第２実施形態）
【００３３】
図３及び図４は、本発明による叩解装置の第２実施形態を示す端面図である。叩解装置２は、第１の材料と当該第１の材料に付着した第２の材料とを含む処理対象物を叩打することにより、第１の材料からの第２の材料の解離を促すものである。本実施形態においても、処理対象物が紙おむつ、第１の材料がプラスチック、第２の材料が吸水性ポリマーである場合を例にとって説明する。叩解装置２は、回転軸１０、叩打部材２０及び収容部４０を備えている。回転軸１０及び叩打部材２０の構成は、第１実施形態で説明したとおりである。
【００３４】
回転軸１０及び叩打部材２０を包囲するように、筒状の収容部４０が設けられている。収容部４０は、略円筒状をしており、その中心軸周りに回転可能である。収容部４０の中心軸は、回転軸１０の中心軸に一致する。すなわち、回転軸１０と収容部４０とは、同一の中心軸を有している。ただし、収容部４０は、回転軸１０とは独立して回転する。本実施形態において回転軸１０と収容部４０とは、上記中心軸周りに、互いに反対方向に回転する。収容部４０には、処理対象物である紙おむつが収容される。収容部４０の内径は、例えば３０ｃｍ以上５０ｃｍ以下である。また、収容部４０の内周面と叩打部材２０の先端との間隔は、例えば５ｍｍ以上３０ｍｍ以下である。図４に示すように、収容部４０の内周面上には、突条３２が設けられている。突条３２の構成は、第１実施形態で説明したとおりである。
【００３５】
図５は、収容部４０を示す側面図である。収容部４０には、多数の孔４２が形成されている。孔４２は、収容部４０の略全体にわたって形成されている。孔４２は、処理対象物である紙おむつに含まれるプラスチックは通過させないが、吸水性ポリマーは通過させる。孔４２の径は、例えば、５ｍｍ以上１０ｍｍ以下である。なお、上述した図４は、孔４２を含まない端面を示している。
【００３６】
叩解装置２の効果を説明する。叩解装置２においては、多数の孔４２を有する収容部４０が設けられている。これにより、収容部４０内で紙おむつから分離された吸水性ポリマーを、孔４２を通じて叩解装置２の外に容易に排出することができる。叩解装置２のその他の効果は、叩解装置１と同様である。
【００３７】
本発明は、上記実施形態に限定されるものではなく、様々な変形が可能である。上記実施形態においては、処理対象物として紙おむつ等の衛生用品を例示した。しかし、処理対象物は、互いに付着した複数の材料を含むものであれば、特に限定されない。衛生用品以外の処理対象物としては、例えば、廃棄物としての塩ビ壁紙が挙げられる。処理対象物が塩ビ壁紙である場合、第１の材料は紙であり、第２の材料はポリ塩化ビニルである。
【００３８】
上記実施形態においては、平面視で円形の開口部２２を例示した。しかし、開口部２２の形状は、任意であり、例えば平面視で矩形であってもよい。あるいは、開口部２２は、図６に示すように、スリット状をしていてもよい。同図においては、叩打部材２０の長さ方向に延在するスリット状の開口部２２が設けられている。また、叩打部材２０の略全体又は一部を網状にすることにより、開口部２２を形成してもよい。その場合、叩打部材２０の網目が開口部２２に相当する。図７には、叩打部材２０の略全体を網状にした場合の例が示されている。
【００３９】
上記実施形態においては、複数の開口部２２が全て同じ開口面積を有する場合を例示した。しかし、複数の開口部２２のうち少なくとも２つは、互いに異なる開口面積を有していてもよい。例えば、図８に示すように、複数の開口部２２は、開口部２２ａ（第１の開口部）と、開口部２２ａよりも小さな開口面積を有する開口部２２ｂ（第２の開口部）とを含んでいてもよい。開口部２２ｂよりも開口部２２ａの方が、叩打部材２０の先端に近い位置に形成されている。かかる構成により、比較的大きな風圧が生じる位置（叩打部材２０の先端に比較的近い位置）において、より多くの空気を逃がすことができる。図９に示すように、複数の開口部２２は、叩打部材２０の先端に近づくにつれて次第に開口面積が大きくなるように形成されていてもよい。
【００４０】
上記実施形態においては、各叩打部材に複数の開口部が設けられた例を示した。しかし、開口部は、各叩打部材に１つだけ設けられていてもよい。  
【００４１】
上記実施形態において、叩打部材２０の叩打面には、図１０に示すように、凹凸部２４が形成されていてもよい。同図において回転軸１０及び叩打部材２０は、矢印で示すように、左回り（反時計回り）に回転する。凹凸部２４は、叩打部材２０の叩打面における開口部２２が形成されていない領域の略全体又は一部に形成される。かかる凹凸面で叩打することにより、平坦面で叩打する場合よりも強い衝撃を処理対象物に与えることができる。
【００４２】
上記実施形態においては、複数の叩打部材２０が全て同じ長さを有する場合を例示した。しかし、複数の叩打部材２０のうち少なくとも２つは、互いに異なる長さを有していてもよい。例えば、図１１に示すように、複数の叩打部材２０は、叩打部材２０２（第１の叩打部材）と、叩打部材２０２よりも短い叩打部材２０４（第２の叩打部材）とを含んでいてもよい。本例においては、回転軸１０の中心軸に沿った各箇所において、叩打部材２０２及び叩打部材２０４が、回転軸１０の周囲に交互に配置されている。なお、この場合、叩打部材２０の最大回転半径Ｒ１は、上述の定義のとおり、回転軸１０の中心軸から叩打部材２０２の先端までの距離に等しい。また、叩打部材２０の最大長Ｌ１は、叩打部材２０２の長さに等しい。
【００４３】
図１２及び図１３を参照しつつ、かかる構成の利点を説明する。複数の叩打部材２０が全て同じ長さを有する場合、図１２に示すように、叩打部材２０の風圧等により、処理対象物は、収容部３０の内周面近傍の狭い領域Ｓ１に偏在しがちになる。これに対し、複数の叩打部材２０が異なる長さを有する場合、図１３に示すように、処理対象物は、回転軸１０の径方向の内側に入り込みやすくなるため、より広い領域Ｓ２に分散するようになる。そのため、叩打部材２０による叩打をより効率的に行うことができる。すなわち、回転軸１０が１回転する間に、より多くの処理対象物を叩打することができる。
【００４４】
さらに、この場合、回転軸１０の径方向の複数の位置において、叩打部材２０の先端部で処理対象物を叩打することができる。つまり、径方向の比較的外側においては叩打部材２０２の先端部で、径方向の比較的内側においては叩打部材２０４の先端部で、それぞれ処理対象物を叩打することができる。このように叩打部材２０の先端部で叩打される場合、処理対象物は、当該先端部の角に衝突することになる。したがって、叩打部材２０の先端部で叩打することは、処理対象物に強い衝撃を与える上で有利である。
【００４５】
また、複数の叩打部材２０は、相異なる長さを有する３種類の叩打部材を含んでいてもよい。例えば、図１４に示すように、複数の叩打部材２０は、上述の叩打部材２０２，２０４に加えて、叩打部材２０４よりも更に短い叩打部材２０６（第３の叩打部材）を含んでいてもよい。本例においては、回転軸１０の中心軸に沿った各箇所において、叩打部材２０２、叩打部材２０４及び叩打部材２０６が、回転軸１０の回転方向前方から後方に向かって、この順に配置されている。同図において、回転軸１０は、左回り（反時計回り）に回転する。
【００４６】
上記実施形態においては、板状の叩打部材を例示した。しかし、叩打部材は、図１５及び図１６に示すように、棒状であってもよい。図１５に示すように、棒状の叩打部材５０の叩打面には、開口部５２が形成されている。開口部５２は、図１６に示すように、回転軸１０の回転方向に沿って叩打部材５０を貫通するように形成されている。開口部５２は、叩打部材５０が回転する際に、当該開口部５２を通じて空気が逃げるように設けられている。叩打部材５０のその他の構成は、叩打部材２０と同様である。
【００４７】
上記実施形態においては、叩打部材が回転軸に直接に取り付けられた例を示した。しかし、叩打部材は、回転軸と共に回転するように構成されている限り、他の部材を介して回転軸に取り付けられていてもよい。
【００４８】
上記実施形態においては、複数の叩打部材が設けられた例を示した。しかし、叩打部材は、１つだけ設けられていてもよい。
【００４９】
上記実施形態においては、回転軸及び収容部が互いに反対方向に回転する場合を例示した。しかし、収容部の回転方向は、回転軸の回転方向と同じであってもよい。その場合、回転軸の回転速度は、収容部の回転速度よりも大きいことが好ましい。ただし、収容部が回転する構成とすることは必須でない。
【００５０】
上記実施形態においては、収容部が円筒状である例を示した。しかし、収容部は、テーパー状であってもよい。また、上記実施形態においては、回転軸及び収容部の中心軸が水平である例を示した。しかし、回転軸及び収容部の中心軸は、水平に対して傾いていてもよい。
【００５１】
上記実施形態においては、略三角形の断面を有する突条３２を例示した。しかし、突条３２は、図１７に示すように、平板状であってもよい。また、上記実施形態においては、突条３２が収容部の中心軸方向の略全体にわたって延在している例を示した。しかし、突条３２は、収容部の中心軸方向の一部においてのみ延在していてもよい。
【００５２】
上記実施形態においては、収容部の内周面上に突条が４本設けられた例を示した。しかし、突条の本数は、１以上の任意の数にすることができる。ただし、収容部に突条を設けることは必須でない。
【符号の説明】
【００５３】
１  叩解装置
２  叩解装置
１０  回転軸
２０  叩打部材
２２  開口部
２２ａ  開口部（第１の開口部）
２２ｂ  開口部（第２の開口部）
２４  凹凸部
３０  収容部
３２  突条
４０  収容部
４２  孔
５０  叩打部材
５２  開口部
２０２  叩打部材（第１の叩打部材）
２０４  叩打部材（第２の叩打部材）
２０６  叩打部材（第３の叩打部材）
【図１】
2016147417.tif 000003
【図２】
2016147417.tif 000004
【図３】
2016147417.tif 000005
【図４】
2016147417.tif 000006
【図５】
2016147417.tif 000007
【図６】
2016147417.tif 000008
【図７】
2016147417.tif 000009
【図８】
2016147417.tif 000010
【図９】
2016147417.tif 000011
【図１０】
2016147417.tif 000012
【図１１】
2016147417.tif 000013
【図１２】
2016147417.tif 000014
【図１３】
2016147417.tif 000015
【図１４】
2016147417.tif 000016
【図１５】
2016147417.tif 000017
【図１６】
2016147417.tif 000018
【図１７】
2016147417.tif 000019